(57)【要約】【課題】連係部材の交換が容易で、ノックピンの効率的な引き抜きが行なえるホルダーを提案する。【解決手段】ホルダーを、ワークに嵌合、保持された位置決め用のノックピンに接続可能な連係部材１と、この連係部材１をその先端にて保持するアダプター２と、このアダプター２の後端につながりその末端にストッパーＳを有するロッド３と、このロッド３にスライド可能に保持され該ストッパーＳに衝撃を加えることによって前記ワークに嵌合、保持されたノックピンＰを引き抜く分銅４とを備えたものにて構成する。そして、前記アダプター２を、その後端にて前記ロッド３に直接つながるアダプター本体2aと、このアダプター本体2aの前面にてねじ止め固定され該アダプター本体2aとの相互間にて連係部材１の後端部を挟持して該連係部材１をアダプター２の先端に保持するクランプナット2bからなる２分割構造とする。【選択図】図１
2006326742.tif 000002
【特許請求の範囲】
【請求項１】
位置決め用のノックピンに接続可能な連係部材と、この連係部材をその先端にて保持するアダプターと、このアダプターの後端につながり該連係部材の軸心に沿う向きに配置されたロッドとを備え、
前記アダプターは、その後端にて前記ロッドに直接つながるアダプター本体と、このアダプター本体の前面にてねじ止め固定され該アダプター本体との相互間にて連係部材の後端部を挟持して該連係部材をアダプターの先端に保持するクランプナットからなることを特徴とするノックピンの引き抜きホルダー。
【請求項２】
前記連係部材が、ねじ部を介してノックピンに接続するボルトである、請求項１記載のノックピンの引き抜きホルダー。
【請求項３】
前記アダプター本体及びクランプナットに対する連係部材の位置決めを行うスペーサーを有し、該スペーサーは、連係部材を通す貫通孔を有しクランプナットの内側に適合する胴体と、この胴体の一端に一体成形されアダプターの凹部に嵌り込むフランジからなる請求項１又は２記載のノックピンの引き抜きホルダー。
【請求項４】
位置決め用のノックピンが、ワークに嵌合、保持されたノックピンあるいはワークそのものの位置決めに使用するノックピンである、請求項１〜３の何れかに記載のノックピンの引き抜きホルダー。
【請求項５】
前記ロッドは、該ロッドに沿ってスライド可能な分銅と、この分銅との衝突によって衝撃を発生させるストッパーとを有する、請求項１〜４の何れかに記載のノックピンの引き抜きホルダー。
【発明の詳細な説明】
【技術分野】
【０００１】
本発明は、ワークの外表面に嵌合保持され、そのワークを位置決めする際に使用されるノックピンの引き抜きホルダーに関するものであり、ノックピンに直接接続する連係部材の破損が起きてもその交換を迅速に行ない該ノックピンの簡便な引き抜きを実現しようとするものである。
【背景技術】
【０００２】
固定金型と可動金型とを合致させてその内部にキャビティを形成する成形装置等においては、普通、金型相互の位置決めを行うためにその合わせ面にノックピンが設けられている。
【０００３】
かかるノックピンは金型の交換や調整等の際には抜き取ることがあるが、その場合に、ノックピンを引き抜くための専用のホルダーが使用されていた。
【０００４】
ノックピンを引き抜く従来のホルダーとしては、把持部材にてノックピンを挟み込むとともに引き抜き雇に沿っておもりをスライドさせ円板に衝突した時の衝撃によってノックピンを引き抜く構造のものが知られている（例えば特許文献１参照）。
【０００５】
【特許文献１】特開平11−33929号公報
【０００６】
ところで、上記ホルダーは、把持部材がノックピンから外れ易く、ノックピンの安定的な引き抜きが難しいという不具合があった。
【０００７】
このため、把持部材を挟み込み式からねじの連係部材に変更し該連係部材をノックピンに直接ねじ込んで連結するタイプのホルダーも使用されているところ、かかるホルダーでは、おもりを衝突させた際の衝撃によってねじ部が破損した場合に、連係部材の付け替えに時間を要し（心出しを含む）、ノックピンの効率的な抜き取り作業が実現できず、未だ改良の余地が残されていた。
【発明の開示】
【発明が解決しようとする課題】
【０００８】
本発明の課題は、連係部材が破損しても簡便に交換することが可能で、ノックピンの効率的な抜き取り作業を実現できる新規な引き抜きホルダーを提案するところにある。
【課題を解決するための手段】
【０００９】
本発明は、位置決め用のノックピンに接続可能な連係部材と、この連係部材をその先端にて保持するアダプターと、このアダプターの後端につながり該連係部材の軸心に沿う向きに配置されたロッドとを備え、
前記アダプターは、その後端にて前記ロッドに直接つながるアダプター本体と、このアダプター本体の前面にてねじ止め固定され該アダプター本体との相互間にて連係部材の後端部を挟持して該連係部材をアダプターの先端に保持するクランプナットからなることを特徴とするノックピンの引き抜きホルダーである。
【００１０】
上記の構成になるホルダーにおいては、前記連係部材を、ねじ部を介してノックピンに接続するボルトとするのが好ましい。
【００１１】
また、前記アダプター本体及びクランプナットに対する連係部材の位置決めを行うスペーサーを設けることができ、該スペーサーは、連係部材を通す貫通孔を有しクランプナットの内側に適合する胴体と、この胴体の一端に一体成形されアダプターの凹部に嵌り込むフランジにて構成する。
【００１２】
位置決め用のノックピンは、ワークに嵌合、保持されたノックピンあるいはワークそのものの位置決めに使用するノックピンが適用できる。
【００１３】
また、前記ロッドには、該ロッドに沿ってスライド可能な分銅と、この分銅との衝突によって衝撃を発生させるストッパーを設ける。
【発明の効果】
【００１４】
アダプターを、アダプター本体とクランプナットの２部材にて構成し、その相互間で連係部材を挟みこんで固定するため、連係部材が破損しても該連係部材をそっくり交換することが可能となり、ノックピンの迅速な引き抜きが行なえる。
【発明を実施するための最良の形態】
【００１５】
以下、図面を参照して本発明をより具体的に説明する。
図１は本発明にしたがうノックピンの引き抜きホルダーの外観斜視図であり、図２はその分解状態を示した図である。
【００１６】
図における１は先端にねじ部ｎを有しそのねじ部ｎを介してノックピンＰに接続可能な連係部材、２は連係部材１をその先端にて保持するアダプター、３はアダプター２の後端にねじ部ｎ１を介してつながりその末端にストッパーＳを有するロッド、そして４はロッド３にスライド可能に保持され該ストッパーＳに衝撃を加えることによってノックピンＰを引き抜く分銅である。
【００１７】
上記アダプター２はその後端においてロッド３に直接つながるアダプター本体2aと、このアダプター本体2aの前面にてねじ止めされ該アダプター本体2aとの相互間にて連係部材１の後端部を挟持して該連係部材をアダプター２の先端に保持するクランプナット2bからなっており、その相互間には連係部材１の位置決めを行うためのスペーサー５が配置される。
【００１８】
スペーサー５は図２に示す如く連係部材１を通す貫通孔ｈを有しクランプナット2bの内側に適合する胴体5aと、この胴体5aの一端に一体成形されアダプター２の凹部2c（図３参照）に嵌り込むフランジ5bからなる。
【００１９】
ワークに嵌合、保持されたノックピン（位置決めピン等）あるいはワークを加工する装置において該ワークを位置決めするノックピン等を引き抜くには、図３に示すように連係部材１のねじ部ｎをノックピンＰのねじ部にねじ込んでそれらを相互に接続したのち、ロッド３の軸心に沿って分銅４をスライドさせストッパーＳに該分銅４を衝突させる。
【００２０】
分銅４をストッパーＳに衝突させるとその際の衝撃によってノックピンＰはワークから簡単に引き抜かれることになる。
【００２１】
ノックピンＰの引き抜き作業において例えば連係部材１がねじ切れてしまうような破損が生じた場合には、図４に示す如くアダプター本体2aとクランプナット2bとの連結状態を解除して連係部材１の交換を行なえばよい。
【００２２】
連係部材１の交換は、図４に示すように、まず、連係部材１をスペーサー５の貫通孔ｈを通して差込みその頭部1aをフランジ5bに突き当てる。
【００２３】
そして、その状態でスペーサー５の胴体5aをクランプナット2bの内側に適合させるとともに図３に示す如く該クランプナット2bをアダプター本体2aにねじ込む。
【００２４】
スペーサー５の軸心を、ロッド３の軸心、クランプナット2bの軸心に合致させておくことで連係部材１を組み込んだ時点で該連係部材１の軸心とロッド３の軸心を一致させることが可能でそための心出し作業は不要となりノックピンＰの効率的な引き抜きが行なえる。
【００２５】
連係部材１はノックピンＰのサイズに応じて簡単に変更することも可能であって、あらゆるノックピンＰの引き抜きに対応できる（適用範囲の拡大）。
【００２６】
なお、上掲図１〜４に示した連係部材１は先端部分にのみねじ部ｎを設けた例として示したが、該ねじ部ｎはその先端から頭部1aの全域に設けてもよく、この点については限定されない。
【産業上の利用可能性】
【００２７】
ノックピンに直接つながる連係部材が破損しても連係部材を簡便に交換できるホルダーが提供できる。
【図面の簡単な説明】
【００２８】
【図１】本発明にしたがうホルダーの外観斜視図である。
【図２】図１に示したホルダーの分解斜視図である。
【図３】図１に示したホルダーを使ってノックピンの引き抜きを行う場合の説明図である。
【図４】連係部材の取替え状況の説明図である。
【符号の説明】
【００２９】
１  連係部材
２  アダプター
2a  アダプター本体
2b  クランプナット
３  ロッド
４  分銅
５  スペーサー
5a  胴体
5b  フランジ
Ｓ  ストッパー
Ｐ  ノックピン
【図１】
2006326742.tif 000003
【図２】
2006326742.tif 000004
【図３】
2006326742.tif 000005
【図４】
2006326742.tif 000006